(57)【要約】【課題】冊子の目的とするページを開きやすくする。【解決手段】冊子４０の小口側４２の端部には、タブマーク５１とページマーク５２が印刷されている。タブマーク５１は、冊子４０の記載内容を予め定められた分類方法により複数の区分に区分けした場合に、各ページがいずれの区分に属するかを示すマークである。ページマーク５２は、冊子４０を予め定められたページ単位で区分けしたページ範囲を示すマークである。また、索引部分を開いたページの小口側４２の端部には、タブマーク５１と区分の対応関係を示す区分の識別情報と、ページマーク５２とページ範囲の対応関係を示すページ範囲の識別情報と、を含むカテゴリ画像５３が印刷されている。【選択図】図４
2010260249.tif 000002
【特許請求の範囲】
【請求項１】
複数の用紙を綴じて形成された冊子であって、
前記冊子の記載内容を予め定められた分類方法により、離散的に配置された複数のページからなる複数の区分に区分けした当該複数の区分毎に、当該区分に属するページに対応する用紙の小口側の端部に、前記複数の用紙の小口側の辺に沿った方向に位置を変えて、当該区分を示すタブマークが印刷されており、
予め定められた複数のページ範囲毎に、当該ページ範囲に属するページに対応する用紙の小口側の端部のうち前記タブマークが印刷されている領域とは異なる領域に、前記複数の用紙の小口側の辺に沿った方向に位置を変えて、当該ページ範囲を示すページマークが印刷されている冊子。
【請求項２】
前記複数の用紙のうち少なくとも一の用紙には、
当該一の用紙の小口側の辺に沿った方向において、
前記複数の区分のそれぞれに対応する前記タブマークの位置に、前記複数の区分のそれぞれに対応する区分の識別情報が印刷されており、
前記複数のページ範囲のそれぞれに対応する前記ページマークの位置に、前記複数のページ範囲のそれぞれに対応するページ範囲の識別情報が印刷されている、
請求項１に記載の冊子。
【請求項３】
外部装置から複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を受信する受信部と、
前記受信された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷するよう印刷部を制御する制御部と、
を備える画像形成装置。
【請求項４】
複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を入力するための操作部と、
前記入力された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷する指示を示す印刷指示情報を生成する制御部と、
前記生成された印刷指示情報を画像形成装置に送信する送信部と、
を備える印刷指示装置。
【請求項５】
コンピュータを、
外部装置から複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を受信する受信部、
前記受信された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷するよう印刷部を制御する制御部、
として機能させるためのプログラム。
【請求項６】
コンピュータを、
複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を入力するための操作部、
前記入力された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷する指示を示す印刷指示情報を生成する制御部、
前記生成された印刷指示情報を画像形成装置に送信する送信部、
として機能させるためのプログラム。
【発明の詳細な説明】
【技術分野】
【０００１】
本発明は、冊子、画像形成装置、印刷指示装置及びプログラムに関する。
【背景技術】
【０００２】
従来、冊子の目次や索引は、ユーザが冊子から目的とする項目が記載されているページを探す際に利用されている。また、冊子の記載内容を章毎に区分けする場合等、冊子の記載内容に応じて、冊子をある区分毎に区分けするためにタブ紙が用いられる場合がある。ユーザは、タブ紙を手がかりにして、目的とする区分に対応するページを開くことができる。通常タブ紙は厚紙であり、自動で反転を行うことが困難であるため、タブ紙の第１の面に印刷した後、第２の面に印刷するためにタブ紙をセットし直すよう指示を表示する印刷装置が提案されている（特許文献１参照）。
【先行技術文献】
【特許文献】
【０００３】
【特許文献１】特開２００４−１６８０３４号公報
【発明の概要】
【発明が解決しようとする課題】
【０００４】
しかし、索引中の項目（見出し）は、例えば、５０音順やアルファベット順等に記載されているため、各項目に対応するページを開く場合には、冊子を開いてページ番号を確認しながら、目的とする項目を探す必要があった。
【０００５】
本発明は上記の従来技術における問題に鑑みてなされたものであって、冊子の目的とするページを開きやすくすることを課題とする。
【課題を解決するための手段】
【０００６】
上記課題を解決するために、請求項１に記載の発明は、複数の用紙を綴じて形成された冊子であって、前記冊子の記載内容を予め定められた分類方法により、離散的に配置された複数のページからなる複数の区分に区分けした当該複数の区分毎に、当該区分に属するページに対応する用紙の小口側の端部に、前記複数の用紙の小口側の辺に沿った方向に位置を変えて、当該区分を示すタブマークが印刷されており、予め定められた複数のページ範囲毎に、当該ページ範囲に属するページに対応する用紙の小口側の端部のうち前記タブマークが印刷されている領域とは異なる領域に、前記複数の用紙の小口側の辺に沿った方向に位置を変えて、当該ページ範囲を示すページマークが印刷されている冊子である。
【０００７】
請求項２に記載の発明は、請求項１に記載の冊子において、前記複数の用紙のうち少なくとも一の用紙には、当該一の用紙の小口側の辺に沿った方向において、前記複数の区分のそれぞれに対応する前記タブマークの位置に、前記複数の区分のそれぞれに対応する区分の識別情報が印刷されており、前記複数のページ範囲のそれぞれに対応する前記ページマークの位置に、前記複数のページ範囲のそれぞれに対応するページ範囲の識別情報が印刷されている。
【０００８】
請求項３に記載の発明は、外部装置から複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を受信する受信部と、前記受信された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷するよう印刷部を制御する制御部と、を備える画像形成装置である。
【０００９】
請求項４に記載の発明は、複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を入力するための操作部と、前記入力された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷する指示を示す印刷指示情報を生成する制御部と、前記生成された印刷指示情報を画像形成装置に送信する送信部と、を備える印刷指示装置である。
【００１０】
請求項５に記載の発明は、コンピュータを、外部装置から複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を受信する受信部、前記受信された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷するよう印刷部を制御する制御部、として機能させるためのプログラムである。
【００１１】
請求項６に記載の発明は、コンピュータを、複数の用紙を綴じて形成される冊子の記載内容を予め定められた分類方法により、離散的に配置された複数のページからなる複数の区分に区分けした当該複数の区分のそれぞれに属するページを示す情報、及び、予め定められた複数のページ範囲を示す情報を含む印刷設定情報を入力するための操作部、前記入力された印刷設定情報に基づいて、前記複数の区分毎に、当該区分に属するページに対応する用紙の小口側の端部に、前記複数の用紙の小口側の辺に沿った方向に位置を変えて、当該区分を示すタブマークを印刷し、前記複数のページ範囲毎に、当該ページ範囲に属するページに対応する用紙の小口側の端部のうち前記タブマークが印刷される領域とは異なる領域に、前記複数の用紙の小口側の辺に沿った方向に位置を変えて、当該ページ範囲を示すページマークを印刷する指示を示す印刷指示情報を生成する制御部、前記生成された印刷指示情報を画像形成装置に送信する送信部、として機能させるためのプログラムである。
【発明の効果】
【００１２】
請求項１、３、４、５、６に記載の発明によれば、冊子の目的とするページを開きやすくすることができる。
【００１３】
請求項２に記載の発明によれば、区分の識別情報及びページ範囲の識別情報が印刷されているので、さらに、冊子の目的とするページを開きやすくすることができる。
【図面の簡単な説明】
【００１４】
【図１】本発明の実施の形態における画像形成システムのシステム構成図である。
【図２】クライアントＰＣの機能的構成を示すブロック図である。
【図３】画像形成装置の機能的構成を示すブロック図である。
【図４】冊子の斜視図である。
【図５】カテゴリ画像の印刷例である。
【図６】２０ページ目の用紙の印刷例である。
【図７】タブ印刷設定画面の画面例である。
【図８】クライアントＰＣにおいて実行される印刷設定処理を示すフローチャートである。
【図９】タブ印刷設定処理を示すフローチャートである。
【図１０】ページ調整処理を示すフローチャートである。
【図１１】（ａ）は、タブマークの設定において「指定ページ」が１００ページの場合に、１００ページが表面であるときのタブマークの印刷例である。（ｂ）は、タブマークの設定において「指定ページ」が１００ページの場合に、１００ページが裏面であるときのタブマークの印刷例である。
【図１２】画像形成装置において実行される印刷処理を示すフローチャートである。
【図１３】ジョブ解析処理を示すフローチャートである。
【図１４】タブマーク及びページマークの印刷位置の算出方法を説明するための図である。
【図１５】ＲＩＰ処理を示すフローチャートである。
【発明を実施するための形態】
【００１５】
以下、図面を参照して、本発明の実施の形態について説明する。
図１に、本実施の形態における画像形成システム１のシステム構成を示す。図１に示すように、画像形成システム１は、クライアントＰＣ（Personal Computer）１０と、画像形成装置２０とから構成されており、各装置は、通信ネットワークＮを介してデータ通信可能に接続されている。
【００１６】
クライアントＰＣ１０は、一般的なＰＣから構成され、画像形成装置２０における印刷を指示する印刷指示装置である。クライアントＰＣ１０には、ＯＳ（Operating System）や、印刷する文書を作成するための文書作成プログラムがインストールされている。また、クライアントＰＣ１０には、作成した文書の印刷指示や印刷する文書の印刷方法の指定を行うためのプリンタドライバプログラムがインストールされている。クライアントＰＣ１０は、このプリンタドライバの機能を用いて、印刷実行時に適用される印刷条件や本文データ等を含む印刷ジョブを生成し、画像形成装置２０に送信する。
【００１７】
画像形成装置２０は、コピー機能、画像読取機能、プリンタ機能を備えた、所謂ＭＦＰ（Multi-Function Peripheral）であって、画像データに基づいて用紙に画像を形成する。画像形成装置２０には、クライアントＰＣ１０から送信された印刷ジョブを受信し、ラスタデータへ展開するためのプリンタコントローラプログラムがインストールされている。
【００１８】
図２に、クライアントＰＣ１０の機能的構成を示す。図２に示すように、クライアントＰＣ１０は、ＣＰＵ（Central Processing Unit）１１、操作部１２、表示部１３、通信部１４、ＲＯＭ（Read Only Memory）１５、ＲＡＭ（Random Access Memory）１６、記憶部１７を備え、各部はバス１８により接続されて構成されている。
【００１９】
ＣＰＵ１１は、クライアントＰＣ１０の各部の処理動作を統括的に制御する。具体的には、ＣＰＵ１１は、操作部１２から入力される操作信号又は通信部１４により受信した指示信号に応じて、ＲＯＭ１５又は記憶部１７に格納されている各種処理プログラムを読み出してＲＡＭ１６に展開し、当該プログラムとの協働により各種処理を行う。
【００２０】
ＣＰＵ１１は、記憶部１７からプリンタドライバプログラムを読み出してＲＡＭ１６に展開し、当該プログラムとの協働により、印刷ジョブを生成し、画像形成装置２０における印刷を指示する。
【００２１】
操作部１２は、カーソルキー、文字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２２】
表示部１３は、ＬＣＤ（Liquid Crystal Display）により構成され、ＣＰＵ１１から入力される表示信号の指示に従って、各種表示画面等を表示する。
【００２３】
通信部１４は、通信ネットワークＮを介して接続された画像形成装置２０等の外部機器との間でデータの送受信を行うための機能部である。
【００２４】
ＲＯＭ１５は、不揮発性の半導体メモリ等により構成され、ＣＰＵ１１により実行される各種処理プログラム、各種データ等を記憶する。
【００２５】
ＲＡＭ１６は、ＣＰＵ１１により実行される各種処理プログラム及びこれらプログラムに係るデータを一時的に記憶するワークエリアを形成する。
【００２６】
記憶部１７は、ハードディスク等から構成され、プリンタドライバプログラム等の各種プログラム、画像データ等の各種データを記憶する記憶装置である。
【００２７】
図３に、画像形成装置２０の機能的構成を示す。図３に示すように、画像形成装置２０は、ＣＰＵ２１、操作部２２、表示部２３、画像読取部２４、通信部２５、ＲＯＭ２６、ＲＡＭ２７、印刷部２８、記憶部２９を備え、各部はバス３０により接続されて構成されている。
【００２８】
ＣＰＵ２１は、画像形成装置２０の各部の処理動作を統括的に制御する。具体的には、ＣＰＵ２１は、操作部２２から入力される操作信号又は通信部２５により受信した指示信号に応じて、ＲＯＭ２６又は記憶部２９に格納されている各種処理プログラムを読み出してＲＡＭ２７に展開し、当該プログラムとの協働により各種処理を行う。
【００２９】
ＣＰＵ２１は、記憶部２９からプリンタコントローラプログラムを読み出してＲＡＭ２７に展開し、当該プログラムとの協働により、印刷部２８を制御して、クライアントＰＣ１０から受信した印刷ジョブに従った印刷を行わせる。
【００３０】
操作部２２は、数字キーやスタートキー、リセットキー等の各種キーを有し、押下されたキーの押下信号をＣＰＵ２１に出力する。また、操作部２２は、表示部２３と一体的に形成されたタッチパネルを備えており、ユーザの指先やタッチペン等により当接されたタッチパネル上の位置を検出して、位置信号をＣＰＵ２１に出力する。
【００３１】
表示部２３は、ＬＣＤ等により構成され、ＣＰＵ２１から入力される表示信号の指示に従って、操作部２２からの入力指示やデータ等を表示する。
【００３２】
画像読取部２４は、原稿画像を読み取って画像データを生成する所謂スキャナであり、原稿を載置するプラテンガラス、プラテンガラス上の原稿画像を走査し、これをＣＣＤ（Charge Coupled Device）イメージセンサ上に結像する走査光学系を備えている。画像読取部２４は、ＣＣＤイメージセンサで読み取った原稿画像に基づいて生成された画像信号をＡ／Ｄ変換して画像データを生成する。
【００３３】
通信部２５は、通信ネットワークＮを介して接続されたクライアントＰＣ１０等の外部機器との間でデータの送受信を行うための機能部である。
【００３４】
ＲＯＭ２６は、不揮発性の半導体メモリ等により構成され、ＣＰＵ２１により実行される各種処理プログラム、各種データ等を記憶する。
【００３５】
ＲＡＭ２７は、ＣＰＵ２１により実行される各種処理プログラム及びこれらプログラムに係るデータを一時的に記憶するワークエリアを形成する。
【００３６】
印刷部２８は、電子写真方式、静電記録方式、熱転写方式等の作像プロセスを利用して用紙上に画像を印刷する。例えば、印刷部２８は、感光体、転写ベルト、定着器、各種搬送ベルト等を備える。印刷部２８は、ＣＰＵ２１の指示に従い、画像データに基づいて用紙上に画像を印刷する。
【００３７】
記憶部２９は、ハードディスク等の記憶装置であり、プリンタコントローラプログラム等の各種プログラム、通信部２５によりクライアントＰＣ１０から受信された印刷ジョブ、画像読取部２４により読み取られた画像データ等を記憶する。
【００３８】
次に、本実施の形態において作成される冊子の構成について説明する。
図４は、冊子４０の斜視図である。図４に示すように、冊子４０は、複数の用紙が綴じ側４１で綴じられて形成されている。冊子４０の綴じ側４１と反対側を小口側４２という。なお、本実施の形態では、図４に示すように用紙の表面４３及び裏面４４をとった場合、すなわち、左開きの場合を例にして説明する。
【００３９】
冊子４０を構成する複数の用紙の小口側４２の端部には、タブマーク５１及びページマーク５２が印刷されている。冊子４０を構成する複数の用紙を逆順方向（図４に示す矢印Ｘ方向）に繰る形態（冊子４０のページ番号が大きい方から小さい方に向かってページを繰る形態）に冊子４０を湾曲させると、タブマーク５１及びページマーク５２がより見やすい状態となる。なお、本実施の形態では、冊子４０を構成する複数の用紙の裏面４４にタブマーク５１及びページマーク５２が印刷される場合について説明する。
【００４０】
タブマーク５１は、冊子４０の記載内容を予め定められた分類方法により複数の区分に区分けした場合に、各ページがいずれの区分に属するものかを示すマークである。各区分に対応するページ群は、離散的に配置された複数のページからなる。複数の区分毎に、各区分に属するページに対応する用紙の裏面４４の小口側４２の端部に、複数の用紙の小口側４２の辺に沿った方向（図４に示す矢印Ｙ方向）に位置を変えて、各区分を示すタブマーク５１が印刷されている。本実施の形態では、冊子４０の索引に記載されている項目（圧縮、厚み、アメダス、粗地、加算等）の頭文字があ行、か行、さ行、た行、な行、は行、ま行、や行、ら行、わ行のいずれの区分に属するかに基づいて、各項目が含まれるページが区分けされている。
【００４１】
ページマーク５２は、冊子４０を予め定められたページ単位で区分けしたページ範囲を示すマークである。複数のページ範囲毎に、各ページ範囲に属するページに対応する用紙の裏面４４の小口側４２の端部のうちタブマーク５１が印刷されている領域とは異なる領域に、複数の用紙の小口側４２の辺に沿った方向（図４に示す矢印Ｙ方向）に位置を変えて、各ページ範囲を示すページマーク５２が印刷されている。
【００４２】
また、図４に示すように、冊子４０の索引部分のページを開くと、開いたページの用紙の裏面４４に該当する方のページの小口側４２の端部には、カテゴリ画像５３が印刷されている。カテゴリ画像５３は、タブマーク５１及びページマーク５２が何を示しているかを明確にするためのものである。
【００４３】
図５に、カテゴリ画像５３が印刷されているページの例を示す。カテゴリ画像５３には、区分の識別情報５４及びページ範囲の識別情報５５が含まれる。
【００４４】
区分の識別情報５４は、タブマーク５１がいずれの区分（あ行、か行、・・・、わ行）に対応するかを示すものである。用紙の小口側４２の辺に沿った方向（図５に示す矢印Ｙ方向）において、複数の区分のそれぞれに対応するタブマーク５１の位置に、複数の区分のそれぞれに対応する区分の識別情報５４が印刷されている。例えば、「あ行」に対応するタブマーク５１の位置に、「あ」という区分の識別情報５４が印刷されている。ここでは、区分の識別情報５４として、区分の名称（あ、か、・・・、わ）が印刷される場合について説明するが、各区分と各タブマーク５１との対応関係が識別可能であれば、他の識別情報を用いることとしてもよい。
【００４５】
また、ページ範囲の識別情報５５は、ページマーク５２がいずれのページ範囲（１−４０ページ、４１−８０ページ等）に対応するかを示すものである。用紙の小口側４２の辺に沿った方向（図５に示す矢印Ｙ方向）において、複数のページ範囲のそれぞれに対応するページマーク５２の位置に、複数のページ範囲のそれぞれに対応するページ範囲の識別情報５５が印刷されている。例えば、「１−４０ページ」に対応するページマーク５２の位置に、「１−４０ページ」というページ範囲の識別情報５５が印刷されている。ここでは、ページ範囲の識別情報５５として、ページ範囲を示す文字が印刷される場合について説明するが、各ページ範囲と各ページマーク５２との対応関係が識別可能であれば、他の識別情報を用いることとしてもよい。
【００４６】
索引のように、各区分（あ行、か行、・・・、わ行）に属するページ番号が離散的に配置されている場合、索引が用紙の裏面４４に記載されている場合にはそのページ、あるいは、索引が用紙の表面４３に記載されている場合にはその前のページ（図４は後者の例）の左端に区分の識別情報５４（カテゴリ名）を矢印Ｙ方向に並べて印刷し、その高さに合わせて索引に記載されている項目が含まれるページにタブマーク５１を印刷することで、その区分（カテゴリ）に属する項目がどのページに印刷されているかを探すことが容易になる。
【００４７】
索引のように、ページ番号で探したい場合、索引が記載されているページ又はその前のページの左端にページ範囲の識別情報５５（ページ範囲）を矢印Ｙ方向に並べて印刷し、その高さに合わせて該当ページの左端にページマーク５２を印刷することで、ページマーク５２を見てページ範囲がわかるようになる。
【００４８】
図６に、索引に「圧縮・・・２０ページ」と記載されている場合の２０ページ目の用紙の印刷例を示す。「圧縮」の頭文字は「あ行」であるため、２０ページ目の用紙の小口側４２の端部に、図５の区分の識別情報５４の「あ」の部分と矢印Ｙ方向において同じ位置にタブマーク５１が印刷されている。また、「２０ページ」は、ページ範囲「１−４０ページ」に含まれるため、２０ページ目の用紙の小口側４２の端部に、図５のページ範囲の識別情報５５の「１−４０ページ」の部分と矢印Ｙ方向において同じ位置にページマーク５２が印刷されている。なお、タブマーク５１及びページマーク５２の冊子４０の小口側４２の辺と垂直な方向（図６に示す矢印Ｚ方向）における印刷幅をＷとする。
【００４９】
冊子４０において、「圧縮・・・２０ページ」という項目を探したい場合には、ページ範囲を示すページマーク５２から２０ページがどのあたりか把握できるため、カテゴリ画像５３のあ行を示す区分の識別情報５４と同じ高さに印刷されているタブマーク５１のうち、２０ページ付近にあるタブマーク５１を探すことで、容易に該当ページを開くことができる。
【００５０】
次に、クライアントＰＣ１０におけるタブ印刷の設定について説明する。タブ印刷とは、複数の用紙を綴じて形成される冊子４０を構成する用紙の小口側４２の端部にタブマーク５１を印刷するものをいう。タブ印刷の設定は、クライアントＰＣ１０のプリンタドライバ機能において、印刷対象となる文書等の印刷を指示する際に行われる。
【００５１】
図７に、クライアントＰＣ１０の表示部１３に表示されるタブ印刷設定画面６０の例を示す。タブ印刷設定画面６０には、タブ設定領域６１、１枚当りの印刷幅設定領域６２、ページ範囲印刷設定領域６３、カテゴリ印刷設定領域６４、プレビュー表示領域６５が含まれる。
【００５２】
タブ設定領域６１は、タブマーク５１として印刷する内容を設定するための領域である。ユーザは、操作部１２からの操作により、タブ設定領域６１において、複数のカテゴリ（区分）と各カテゴリに対応するページ番号とを入力する。ここで、ページ番号は、１カテゴリに対して複数ページ入力可能であり（ページ群）、離散的に配置された一又は複数のページからなる。
【００５３】
図７に示すタブ設定領域６１では、「あ」というカテゴリに対してページ番号が「２０，７９，８５，２０３」と設定され、「か」というカテゴリに対してページ番号が「３５，８０」と設定され、・・・、「わ」というカテゴリに対してページ番号が「１９３」と設定されている。
【００５４】
１枚当りの印刷幅設定領域６２は、用紙１枚当りに印刷するタブマーク５１の幅（図６において、冊子４０の小口側４２の辺と垂直な方向における印刷幅Ｗ）を設定するための領域である。ユーザは、操作部１２からの操作により、１枚当りの印刷幅Ｗを入力する。
【００５５】
ページ範囲印刷設定領域６３は、ページ範囲印刷の設定を行うための領域である。ページ範囲印刷とは、ページ範囲を示すページマーク５２を印刷することをいう。ページマーク５２を印刷する場合にはページマーク５２の幅も１枚当りの印刷幅設定領域６２において設定された幅に従う。ページ範囲印刷設定領域６３には、ページ範囲印刷チェックボックス６３ａ、開始ページ設定領域６３ｂ、終了ページ設定領域６３ｃ、ページ単位設定領域６３ｄが含まれる。
【００５６】
ページ範囲印刷チェックボックス６３ａは、ページ範囲印刷を行うか否かを設定するためのものである。ユーザは、ページ範囲印刷を行う場合には、操作部１２からの操作により、ページ範囲印刷チェックボックス６３ａをオンに設定する。開始ページ設定領域６３ｂは、ページマーク５２を印刷する最初のページのページ番号（開始ページ）を設定するための領域である。終了ページ設定領域６３ｃは、ページマーク５２を印刷する最後のページのページ番号（終了ページ）を設定するための領域である。ページ単位設定領域６３ｄは、ページマーク５２を何ページ毎に区分けして印刷するか（ページ単位）を設定するための領域である。ユーザは、操作部１２からの操作により、ページマーク５２の開始ページ、終了ページ、ページ単位を入力する。図７に示すページ範囲印刷設定領域６３は、１ページ〜２４０ページの印刷範囲に、４０ページ毎に区分けされたページマーク５２が印刷される場合の例である。
【００５７】
カテゴリ印刷設定領域６４は、カテゴリ印刷の設定を行うための領域である。カテゴリ印刷とは、タブ設定領域６１で設定されたカテゴリのカテゴリ名（区分の識別情報５４）を、指定したページに見出しとして印刷することをいう。ページ範囲印刷を行う場合には、カテゴリ印刷において、ページマーク５２のページ範囲（ページ範囲の識別情報５５）も、指定したページに見出しとして印刷する。カテゴリ印刷設定領域６４には、カテゴリ印刷チェックボックス６４ａ、開始ページ設定領域６４ｂ、終了ページ設定領域６４ｃが含まれる。
【００５８】
カテゴリ印刷チェックボックス６４ａは、カテゴリ印刷を行うか否かを設定するためのものである。ユーザは、カテゴリ印刷を行う場合には、操作部１２からの操作により、カテゴリ印刷チェックボックス６４ａをオンに設定する。開始ページ設定領域６４ｂは、カテゴリ印刷を行う最初のページのページ番号（開始ページ）を設定するための領域である。終了ページ設定領域６４ｃは、カテゴリ印刷を行う最後のページのページ番号（終了ページ）を設定するための領域である。ユーザは、操作部１２からの操作により、カテゴリ印刷の開始ページ及び終了ページを入力する。カテゴリ印刷は、索引部分のページを開いた際に、ユーザが参照可能なページを対象とすることが望ましい。
【００５９】
なお、用紙の裏面４４にカテゴリ印刷を行う場合には、カテゴリ印刷設定領域６４のページ範囲（開始ページ設定領域６４ｂ、終了ページ設定領域６４ｃ）で指定されたページのうち、裏面４４にのみ印刷を行う。
【００６０】
プレビュー表示領域６５は、タブ印刷のプレビュー画像を表示するための領域である。
【００６１】
次に、クライアントＰＣ１０における動作について説明する。
図８は、クライアントＰＣ１０において実行される印刷設定処理を示すフローチャートである。この処理は、複数の用紙を綴じて形成される冊子４０の複数の用紙の小口側４２の端部にタブマーク５１等を印刷する指示を行う処理であって、ＣＰＵ１１と記憶部１７に記憶されているプリンタドライバプログラムとの協働によるソフトウェア処理によって実現される。
【００６２】
まず、ＣＰＵ１１により、表示部１３に表示されているタブ印刷設定画面６０において、タブ印刷設定の指示があるか否かが判断される（ステップＳ１）。
【００６３】
タブ印刷設定画面６０において、タブ印刷設定の指示があると判断された場合には（ステップＳ１；ＹＥＳ）、ＣＰＵ１１により、タブ印刷設定処理が行われる（ステップＳ２）。
【００６４】
ここで、図９を参照して、タブ印刷設定処理について説明する。
まず、ＣＰＵ１１により、タブ印刷設定画面６０において、ユーザの操作部１２からの操作により入力された、複数のカテゴリ（区分）と各カテゴリに対応するページ番号とが、ＣＰＵ１１により設定される（ステップＳ１１）。タブ設定領域６１の設定内容は、ＣＰＵ１１により、ＲＡＭ１６に格納される。
【００６５】
次に、ＣＰＵ１１により、ページ調整処理が行われる（ステップＳ１２）。
ページ調整処理では、図１０に示すように、ＣＰＵ１１により、タブ印刷設定画面６０のタブ設定領域６１で設定されている各カテゴリに対応するページ番号により指定された「指定ページ」が表面４３であるか否かが判断される（ステップＳ２１）。「指定ページ」が表面４３であると判断された場合には（ステップＳ２１；ＹＥＳ）、ＣＰＵ１１により、タブマーク５１を印刷するページが「指定ページ」の値から１減算された値に変更される（ステップＳ２２）。
【００６６】
例えば、タブマーク５１の設定において「指定ページ」が１００ページの場合、１００ページが表面４３であるときには、図１１（ａ）に示すように、９９ページにタブマーク５１を印刷する。一方、タブマーク５１の設定において「指定ページ」が１００ページの場合、１００ページが裏面４４であるときには、図１１（ｂ）に示すように、１００ページにタブマーク５１を印刷する。
【００６７】
ステップＳ２２の後、又は、ステップＳ２１において、「指定ページ」が表面４３でないと判断された場合には（ステップＳ２１；ＮＯ）、ページ調整処理が終了し、図９のステップＳ１３に移行する。
【００６８】
図９に戻り、ページ調整処理の後（ステップＳ１２）、ＣＰＵ１１により、タブ印刷設定画面６０の１枚当りの印刷幅設定領域６２において、ユーザの操作部１２からの操作により入力された、用紙１枚当りの印刷幅Ｗが設定される（ステップＳ１３）。１枚当りの印刷幅設定領域６２の設定内容は、ＣＰＵ１１により、ＲＡＭ１６に格納される。
【００６９】
次に、ＣＰＵ１１により、タブ印刷設定画面６０のページ範囲印刷チェックボックス６３ａにおいて、ページ範囲印刷が設定されているか否かが判断される（ステップＳ１４）。ページ範囲印刷が設定されていると判断された場合には（ステップＳ１４；ＹＥＳ）、ＣＰＵ１１により、タブ印刷設定画面６０の開始ページ設定領域６３ｂ、終了ページ設定領域６３ｃ、ページ単位設定領域６３ｄにおいて、ユーザの操作部１２からの操作により入力された、ページマーク５２を印刷する印刷範囲（開始ページ及び終了ページ）、ページ単位が設定される（ステップＳ１５）。これらの設定内容は、ＣＰＵ１１により、ＲＡＭ１６に格納される。
【００７０】
タブ印刷設定画面６０のページ範囲印刷チェックボックス６３ａにおいて、ページ範囲印刷が設定されていないと判断された場合（ステップＳ１４；ＮＯ）、又は、ステップＳ１５の後、ＣＰＵ１１により、タブ印刷設定画面６０のカテゴリ印刷チェックボックス６４ａにおいて、カテゴリ印刷が設定されているか否かが判断される（ステップＳ１６）。カテゴリ印刷が設定されていると判断された場合には（ステップＳ１６；ＹＥＳ）、ＣＰＵ１１により、タブ印刷設定画面６０の開始ページ設定領域６４ｂ、終了ページ設定領域６４ｃにおいて、ユーザの操作部１２からの操作により入力された、カテゴリ印刷を行うページ範囲（開始ページ及び終了ページ）が設定される（ステップＳ１７）。この設定内容は、ＣＰＵ１１により、ＲＡＭ１６に格納される。
【００７１】
タブ印刷設定画面６０のカテゴリ印刷チェックボックス６４ａにおいて、カテゴリ印刷が設定されていないと判断された場合（ステップＳ１６；ＮＯ）、又は、ステップＳ１７の後、ＣＰＵ１１により、タブ印刷設定画面６０の設定内容に基づいて、印刷の仕上がり状態を示すプレビュー画像が生成され、このプレビュー画像がプレビュー表示領域６５に表示される（ステップＳ１８）。
以上で、タブ印刷設定処理が終了する。
【００７２】
図８に戻り、操作部１２からの操作により、印刷が指示された場合、ＣＰＵ１１により、ステップＳ２において設定された情報に基づいて、複数のページのそれぞれの印刷内容を示す本文データ及びタブ印刷設定情報を含む印刷指示情報としての印刷ジョブ（ＰＤＬデータ）が生成される（ステップＳ３）。印刷指示情報は、画像形成装置２０に対して、複数の区分毎に、各区分に属するページに対応する用紙の小口側４２の端部に、複数の用紙の小口側４２の辺に沿った方向に位置を変えて、各区分を示すタブマーク５１を印刷し、複数のページ範囲毎に、各ページ範囲に属するページに対応する用紙の小口側４２の端部のうちタブマーク５１が印刷される領域とは異なる領域に、複数の用紙の小口側４２の辺に沿った方向に位置を変えて、各ページ範囲を示すページマーク５２を印刷する指示を示すものである。
【００７３】
タブ印刷設定情報には、複数のカテゴリ（区分）、各カテゴリのそれぞれに属するページ番号、１枚当りの印刷幅Ｗを示す情報が含まれる。
【００７４】
また、タブ印刷設定においてページ範囲印刷が設定された場合には、タブ印刷設定情報にはページ範囲印刷設定情報が含まれる。ページ範囲印刷設定情報には、ページマーク５２の開始ページ、終了ページ、ページ単位を示す情報が含まれる。なお、ページ範囲印刷設定情報として、各ページ範囲に対応する開始ページ及び終了ページを示す情報が含まれることとしてもよい。
【００７５】
また、タブ印刷設定においてカテゴリ印刷が設定された場合には、タブ印刷設定情報にはカテゴリ印刷設定情報が含まれる。カテゴリ印刷設定情報には、カテゴリ印刷の開始ページ及び終了ページを示す情報が含まれる。
【００７６】
次に、ＣＰＵ１１により、印刷ジョブが通信部１４を介して画像形成装置２０に送信される（ステップＳ４）。
以上で、印刷設定処理が終了する。
【００７７】
次に、画像形成装置２０における動作について説明する。
図１２は、画像形成装置２０において実行される印刷処理を示すフローチャートである。この処理は、ＣＰＵ２１と記憶部２９に記憶されているプリンタコントローラプログラムとの協働によるソフトウェア処理によって実現される。
【００７８】
まず、画像形成装置２０において、通信部２５により、クライアントＰＣ１０から送信された印刷ジョブ（ＰＤＬデータ）が受信される（ステップＴ１）。
【００７９】
次に、ＣＰＵ２１により、受信された印刷ジョブに対してジョブ解析処理が行われる（ステップＴ２）。
【００８０】
ここで、図１３を参照して、ジョブ解析処理について説明する。
ＣＰＵ２１により、印刷ジョブに対して従来のジョブ解析処理が行われる（ステップＴ１１）。
【００８１】
次に、ＣＰＵ２１により、印刷ジョブにタブ印刷設定情報が含まれるか否かが判断される（ステップＴ１２）。印刷ジョブにタブ印刷設定情報が含まれると判断された場合には（ステップＴ１２；ＹＥＳ）、ＣＰＵ２１により、タブマーク５１の印刷位置が算出される（ステップＴ１３）。タブマーク５１の印刷位置は、カテゴリ数や用紙サイズによって決定される。算出されたタブマーク５１の印刷位置の情報は、ＣＰＵ２１により、ＲＡＭ２７に格納される。
【００８２】
ここで、図１４を参照して、タブマーク５１の印刷位置の算出方法について説明する。
まず、印刷する用紙の縦方向の長さPaperSizeYから印刷可能幅を抽出し、印刷できない部分の用紙上部の長さをMarginTop、印刷できない部分の用紙下部の長さをMarginBottomとして定義する。なお、縦方向とは、図４〜図６に示した矢印Ｙ方向と一致する。以下、同様とする。
【００８３】
次に、印刷可能幅を、タブマーク印刷幅TabMarkAreaYと、ページマーク印刷幅PageMarkAreaYとに分割する。TabMarkAreaYとPageMarkAreaYとの比率は、予め固定で指定されていてもよいし、クライアントＰＣ１０や画像形成装置２０から入力されることとしてもよい。また、PageMarkAreaYは、ページマーク５２を印刷する場合にのみ確保することとしてもよい。
【００８４】
タブマーク印刷幅TabMarkAreaYをカテゴリ数で割った値からタブマーク間の余白TabMarginYを引くことにより、タブマーク一つ当りの縦方向の長さTabMarkYを算出する。
TabMarkY＝（TabMarkAreaY÷カテゴリ数）−TabMarginY
なお、タブマーク間の余白TabMarginYは、固定値であってもよいし、クライアントＰＣ１０や画像形成装置２０から入力されることとしてもよい。
【００８５】
また、タブマーク５１の縦方向の印刷位置（用紙上端からタブマーク５１の上端までの距離）は、何番目のタブマーク５１かを示す番号を「タブマーク番号」として、下記式で表される。
タブマーク５１の縦方向の印刷位置
＝MarginTop＋（タブマーク番号−１）×（TabMarkY＋TabMarginY）
【００８６】
タブマーク５１の横方向の印刷位置は、用紙の左端（小口側４２の端部）となる。
タブマーク５１の印刷幅Ｗは、１枚当りの印刷幅設定領域６２において入力された値（１枚当りの印刷幅）に従う。
【００８７】
次に、ＣＰＵ２１により、タブ印刷設定情報にページ範囲印刷設定情報が含まれるか否かが判断される（ステップＴ１４）。タブ印刷設定情報にページ範囲印刷設定情報が含まれると判断された場合には（ステップＴ１４；ＹＥＳ）、ＣＰＵ２１により、ページ範囲印刷設定情報の開始ページ及び終了ページに基づいて、ページマーク５２を印刷するページが抽出される（ステップＴ１５）。ページマーク５２を印刷するページは用紙の裏面４４のページのみであるから、指定されたページ範囲に含まれるページ番号のうち、裏面４４のページ番号が抽出される。抽出されたページマーク５２を印刷するページの情報は、ＣＰＵ２１により、ＲＡＭ２７に格納される。
【００８８】
次に、ＣＰＵ２１により、ページマーク５２の印刷位置が算出される（ステップＴ１６）。算出されたページマーク５２の印刷位置の情報は、ＣＰＵ２１により、ＲＡＭ２７に格納される。
【００８９】
ここで、図１４を参照して、ページマーク５２の印刷位置の算出方法について説明する。
まず、ページ範囲印刷設定情報のページマーク５２の印刷範囲（開始ページから終了ページまで）のページ数をページ単位で割り、この値でページマーク印刷幅PageMarkAreaYを割った値からページマーク間の余白PageMarginYを引くことにより、ページマーク一つ当りの縦方向の長さPageMarkYを算出する。
PageMarkY＝｛PageMarkAreaY÷（ページマーク５２の印刷範囲のページ数÷ページ単位）｝−PageMarginY
なお、ページマーク間の余白PageMarginYは、固定値であってもよいし、クライアントＰＣ１０や画像形成装置２０から入力されることとしてもよい。
【００９０】
また、ページマーク５２の縦方向の印刷位置（用紙上端からページマーク５２の上端までの距離）は、何番目のページマーク５２かを示す番号を「ページマーク番号」として、下記式で表される。
ページマーク５２の縦方向の印刷位置
＝MarginTop＋TabMarkAreaY
＋（ページマーク番号−１）×（PageMarkY＋PageMarginY）
【００９１】
ページマーク５２の横方向の印刷位置は、用紙の左端（小口側４２の端部）となる。
ページマーク５２の印刷幅Ｗは、１枚当りの印刷幅設定領域６２において入力された値に従う。
【００９２】
ステップＴ１６の後、ステップＴ１４においてタブ印刷設定情報にページ範囲印刷設定情報が含まれないと判断された場合には（ステップＴ１４；ＮＯ）、ＣＰＵ２１により、タブ印刷設定情報にカテゴリ印刷設定情報が含まれるか否かが判断される（ステップＴ１７）。タブ印刷設定情報にカテゴリ印刷設定情報が含まれると判断された場合には（ステップＴ１７；ＹＥＳ）、ＣＰＵ２１により、カテゴリ印刷設定情報に含まれるカテゴリ印刷の開始ページ及び終了ページに基づいて、カテゴリ印刷を行うページが抽出される（ステップＴ１８）。カテゴリ印刷を行うページは用紙の裏面４４のページのみであるから、指定されたページ範囲に含まれるページ番号のうち、裏面４４のページ番号が抽出される。抽出されたカテゴリ印刷を行うページの情報は、ＣＰＵ２１により、ＲＡＭ２７に格納される。
【００９３】
次に、ＣＰＵ２１により、カテゴリ印刷内容が生成される（ステップＴ１９）。生成されたカテゴリ印刷内容は、ＣＰＵ２１により、ＲＡＭ２７に格納される。カテゴリ印刷内容には、全てのタブマーク５１に対応する区分の識別情報５４（各タブマーク５１に対応するカテゴリ名）が含まれる。また、ページ範囲印刷を行う場合には、さらに、全てのページマーク５２に対応するページ範囲の識別情報５５（各ページマーク５２に対応するページ範囲）が含まれる。
【００９４】
ステップＴ１２において、印刷ジョブにタブ印刷設定情報が含まれないと判断された場合（ステップＴ１２；ＮＯ）、ステップＴ１７において、タブ印刷設定情報にカテゴリ印刷設定情報が含まれないと判断された場合（ステップＴ１７；ＮＯ）、又は、ステップＴ１９の後、ジョブ解析処理が終了する。
【００９５】
図１２に戻り、ＣＰＵ２１により、ＲＩＰ処理が行われる（ステップＴ３）。
ここで、図１５を参照して、ＲＩＰ処理について説明する。ＲＩＰ処理では、ジョブ解析処理にて解析されたタブ印刷設定情報に従って、タブマーク画像、ページマーク画像、カテゴリ画像５３を本文画像に合成する。
【００９６】
まず、ＣＰＵ２１により、１ページ分の本文画像がラスタライズされる（ステップＴ２１）。本文画像のラスタデータは、ＣＰＵ２１により、ＲＡＭ２７に格納される。
【００９７】
次に、ＣＰＵ２１により、ジョブ解析処理にて解析されたタブ印刷設定情報から、ラスタライズした本文画像のページに対応するタブマーク５１があるか否かが判断される（ステップＴ２２）。具体的には、ＣＰＵ２１により、タブ印刷設定情報に含まれる複数のカテゴリ（区分）を示す情報、各カテゴリのそれぞれに属するページ番号を示す情報に基づいて、当該ページが複数のカテゴリのいずれかに属するものであるかが判断され、当該ページが複数のカテゴリのいずれかに属するものである場合には、当該ページが属するカテゴリが特定される。当該ページに対応するタブマーク５１があると判断された場合には（ステップＴ２２；ＹＥＳ）、ＣＰＵ２１により、ステップＴ１３において算出されたタブマーク５１の印刷位置に基づいて、タブマーク画像がラスタライズされ（ステップＴ２３）、そのページの本文画像のタブマーク画像が合成される（ステップＴ２４）。合成されたラスタデータは、ＣＰＵ２１により、ＲＡＭ２７に格納される。
【００９８】
ステップＴ２２において、当該ページに対応するタブマーク５１がないと判断された場合（ステップＴ２２；ＮＯ）、又は、ステップＴ２４の後、ＣＰＵ２１により、ジョブ解析処理にて解析されたタブ印刷設定情報から、ラスタライズした本文画像のページに対応するページマーク５２があるか否かが判断される（ステップＴ２５）。具体的には、ＣＰＵ２１により、当該ページが、ステップＴ１５で抽出されたページマーク５２を印刷するページであるか否かが判断される。当該ページに対応するページマーク５２があると判断された場合には（ステップＴ２５；ＹＥＳ）、ＣＰＵ２１により、ステップＴ１６において算出されたページマーク５２の印刷位置に基づいて、ページマーク画像がラスタライズされ（ステップＴ２６）、そのページの本文画像にページマーク画像が合成される（ステップＴ２７）。合成されたラスタデータは、ＣＰＵ２１により、ＲＡＭ２７に格納される。
【００９９】
ステップＴ２５において、当該ページに対応するページマーク５２がないと判断された場合（ステップＴ２５；ＮＯ）、又は、ステップＴ２７の後、ＣＰＵ２１により、ジョブ解析処理にて解析されたタブ印刷設定情報から、ステップＴ２１においてラスタライズした本文画像のページがカテゴリ印刷設定情報のページ範囲に含まれるか否かが判断される（ステップＴ２８）。当該ページがカテゴリ印刷設定情報のページ範囲に含まれると判断された場合には（ステップＴ２８；ＹＥＳ）、ＣＰＵ２１により、ステップＴ１９において生成されたカテゴリ印刷内容に基づいて、カテゴリ画像５３がラスタライズされ（ステップＴ２９）、そのページの本文画像にカテゴリ画像５３が合成される（ステップＴ３０）。合成されたラスタデータは、ＣＰＵ２１により、ＲＡＭ２７に格納される。
【０１００】
ステップＴ２８において、当該ページがカテゴリ印刷設定情報のページ範囲に含まれないと判断された場合（ステップＴ２８；ＮＯ）、又は、ステップＴ３０の後、ＣＰＵ２１により、ラスタライズすべき次のページがあるか否かが判断される（ステップＴ３１）。次のページがあると判断された場合には（ステップＴ３１；ＹＥＳ）、ステップＴ２１に戻り、ステップＴ２１〜ステップＴ３１の処理が繰り返される。
【０１０１】
ラスタライズすべき次のページがなくなったと判断された場合には（ステップＴ３１；ＮＯ）、図１２に戻り、ＣＰＵ２１により印刷部２８が制御され、各ページに対応するラスタデータに基づいて、印刷が行われる（ステップＴ４）。
以上で、印刷処理が終了する。
【０１０２】
印刷処理終了後、複数の用紙の綴じ側４１の１辺が綴じられて、冊子４０が作成される（図４参照）。用紙の綴じ方は、中綴じ、平綴じ、無線綴じ、糸綴じ等、いずれの方法を用いてもよい。
【０１０３】
以上説明したように、本実施の形態によれば、冊子４０を作成する際に、冊子４０の記載内容を予め定められた分類方法により、離散的に配置された複数のページからなる複数の区分に区分けした当該複数の区分毎に、当該区分に属するページに対応する用紙の小口側４２の端部に、複数の用紙の小口側４２の辺に沿った方向に位置を変えて、当該区分を示すタブマーク５１を印刷し、予め定められた複数のページ範囲毎に、当該ページ範囲に属するページに対応する用紙の小口側４２の端部のうちタブマーク５１が印刷される領域とは異なる領域に、複数の用紙の小口側４２の辺に沿った方向に位置を変えて、当該ページ範囲を示すページマーク５２を印刷するので、冊子４０の目的とするページを開きやすくすることができる。
【０１０４】
具体的には、ユーザは、索引に記載されている項目が属する区分（カテゴリ）に対応するタブマーク５１の位置と、当該項目が記載されているページが属するページ範囲に対応するページマーク５２の位置と、に基づいて、冊子４０の目的とするページを容易に探し当てることが可能となる。
【０１０５】
また、冊子４０には、区分の識別情報５４及びページ範囲の識別情報５５が印刷されているので、さらに、冊子４０の目的とするページを開きやすくすることができる。
【０１０６】
なお、上記実施の形態における記述は、本発明に係る冊子、印刷指示装置、画像形成装置の例であり、これに限定されるものではない。
【０１０７】
例えば、上記実施の形態においては、冊子４０を構成する複数の用紙の裏面４４にタブマーク５１、ページマーク５２、カテゴリ画像５３が印刷される場合を例にして説明したが、用紙の表面４３に印刷されることとしてもよい。
【０１０８】
また、上記実施の形態においては、ページマーク５２が印刷されるページ範囲として、各ページ範囲のページ数が等しい場合について説明したが、冊子４０を複数のページ範囲に区分けする際に、異なるページ数の範囲に区分けすることとしてもよい。
【０１０９】
また、上記実施の形態においては、画像形成装置２０側でタブマーク画像、ページマーク画像、カテゴリ画像５３を本文画像に合成することとしたが、クライアントＰＣ１０側で合成処理後、合成後のデータを画像形成装置２０に送信することとしてもよい。
【０１１０】
また、上記実施の形態においては、タブマーク５１の印刷位置及びサイズ、ページマーク５２の印刷位置及びサイズを画像形成装置２０（プリンタコントローラ）側で算出することとしたが、これらの値は、クライアントＰＣ１０（プリンタドライバ）側で算出することとしてもよいし、クライアントＰＣ１０の設定画面において入力できるようにしてもよいし、画像形成装置２０の操作部２２から入力できるようにしてもよい。
【０１１１】
また、上記実施の形態では、クライアントＰＣ１０側でページ調整処理を行うこととしたが、画像形成装置２０側でページ調整処理を行うこととしてもよい。
【０１１２】
また、上記実施の形態では、タブマーク５１について、索引に記載されている項目の頭文字があ行、か行、・・・、わ行のいずれの区分に属するかに基づいて、各項目が含まれるページを区分けする場合を例にして説明したが、索引に記載されている項目の頭文字がＡ、Ｂ、Ｃ、・・・のいずれの区分に属するかに基づいて、各項目が含まれるページを区分けすることとしてもよい。
【０１１３】
以上の説明では、各処理を実行するためのプログラムを格納したコンピュータ読み取り可能な媒体としてＲＯＭ又はハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１４】
１  画像形成システム
１０  クライアントＰＣ
１１  ＣＰＵ
１２  操作部
１３  表示部
１４  通信部
１５  ＲＯＭ
１６  ＲＡＭ
１７  記憶部
１８  バス
２０  画像形成装置
２１  ＣＰＵ
２２  操作部
２３  表示部
２４  画像読取部
２５  通信部
２６  ＲＯＭ
２７  ＲＡＭ
２８  印刷部
２９  記憶部
３０  バス
４０  冊子
４１  綴じ側
４２  小口側
４３  表面
４４  裏面
５１  タブマーク
５２  ページマーク
５３  カテゴリ画像
５４  区分の識別情報
５５  ページ範囲の識別情報
６０  タブ印刷設定画面
６１  タブ設定領域
６２  １枚当りの印刷幅設定領域
６３  ページ範囲印刷設定領域
６３ａ  ページ範囲印刷チェックボックス
６３ｂ  開始ページ設定領域
６３ｃ  終了ページ設定領域
６３ｄ  ページ単位設定領域
６４  カテゴリ印刷設定領域
６４ａ  カテゴリ印刷チェックボックス
６４ｂ  開始ページ設定領域
６４ｃ  終了ページ設定領域
６５  プレビュー表示領域
Ｎ  通信ネットワーク
【図１】
2010260249.tif 000003
【図２】
2010260249.tif 000004
【図３】
2010260249.tif 000005
【図４】
2010260249.tif 000006
【図５】
2010260249.tif 000007
【図６】
2010260249.tif 000008
【図７】
2010260249.tif 000009
【図８】
2010260249.tif 000010
【図９】
2010260249.tif 000011
【図１０】
2010260249.tif 000012
【図１１】
2010260249.tif 000013
【図１２】
2010260249.tif 000014
【図１３】
2010260249.tif 000015
【図１４】
2010260249.tif 000016
【図１５】
2010260249.tif 000017